(57)【要約】      （修正有）【課題】顔に良く合わせることができ、顔とマスクとの間のクリアランスと隙間が低減され、被覆性が向上し、見栄えを良くすることができるマスクを提供する。【解決手段】マスク１００は、鼻部と口部を遮るためのマスク本体１０と、鼻筋に合わせてマスク本体１０を定形させる鼻梁定形部２０とを含む。マスク本体１０は、その両端に、何れもＳ型曲線である第１のカットライン１１及び第２のカットライン１２が設けられている。Ｓ型曲線で縁をカットすることで、頬骨から顔立ちに沿って両頬へ延伸し、視覚的に顔立ちを調整することができる一方、顔の輪郭にフィットする。【選択図】図１
0003225473.tif 000002
【実用新案登録請求の範囲】
【請求項１】
両側縁に、何れもＳ型曲線である第１のカットライン（１１）及び第２のカットライン（１２）が設けられているマスク本体（１０）と、
マスク本体（１０）の上縁にある鼻梁定形部（２０）と、
を備えることを特徴とするマスク（１００）。
【請求項２】
前記Ｓ型曲線には、何れも第１のカーブ（１３）、第２のカーブ（１４）、及び第３のカーブ（１５）が順次に設けられ、
前記第１のカーブ（１３）は、前記Ｓ型曲線の上半部にあるとともに、前記マスク本体（１０）外に向かい、前記第２のカーブ（１４）は、前記Ｓ型曲線の中部にあるとともに、前記マスク本体（１０）に向かい、前記第３のカーブ（１５）は、Ｓ型曲線の下半部にあるとともに、前記マスク本体（１０）外に向かう
ことを特徴とする請求項１に記載のマスク（１００）。
【請求項３】
前記第１のカットライン（１１）と第２のカットライン（１２）は、何れも縁飾り線がないことを特徴とする請求項１又は２に記載のマスク（１００）。
【請求項４】
前記マスク本体（１０）には、前記第１のカットライン（１１）に沿う第１のエンボス模様と、前記第２のカットライン（１２）に沿う第２のエンボス模様が設けられている
ことを特徴とする請求項３に記載のマスク（１００）。
【請求項５】
前記第１のエンボス模様と前記第２のエンボス模様は、何れも単列のエンボス模様であることを特徴とする請求項４に記載のマスク（１００）。
【請求項６】
前記マスク本体（１０）の上辺の長さは、前記マスク本体（１０）の下辺の長さよりも大きいことを特徴とする請求項１又は２に記載のマスク（１００）。
【請求項７】
前記マスク本体（１０）の上辺の長さと、前記マスク本体（１０）の下辺の長さとの比率は、１：０．８５７〜０．８９７であることを特徴とする請求項６に記載のマスク（１００）。
【請求項８】
前記マスク本体（１０）の上辺の長さは、１７．５〜１９．５ｃｍであることを特徴とする請求項７に記載のマスク（１００）。
【請求項９】
前記マスク本体（１０）の下辺の長さは、１５〜１７．５ｃｍであることを特徴とする請求項８に記載のマスク（１００）。
【請求項１０】
前記マスク本体（１０）の４つの角は、丸く設計されていることを特徴とする請求項１又は２に記載のマスク（１００）。
【考案の詳細な説明】
【技術分野】
【０００１】
本考案は、日常保護用品の技術分野に関し、特に、マスクに関するものである。
【背景技術】
【０００２】
マスクは、日常生活に広く適用され、鼻部と口部を遮り、空気における微粒子の邪魔をして保護機能を果たすものである。現在、マスクは、微粒子から保護する外に、クマやシミなどを隠し、日焼け防止や、プライバシーの保護などに用いられることもでき、人々のマスクに対するニーズも益々多様化になってきた。
【０００３】
本考案の考案者は、本考案を実現させる中、従来、マスクは一般的に長方形カットを採用し、顔立ちに合わせることができず、顔とマスクとの間に大きなクリアランスがあり、顔が浮腫んでいるように見え、見栄えが悪いということを発見した。
【考案の概要】
【考案が解決しようとする課題】
【０００４】
本考案の解決しようとする技術的課題は、従来技術における上述した欠陥に対して、顔立ちに良く合わせて顔を被覆し、顔立ちを調整して顔痩せする効果を達成することができるマスクを提供することにある。
【課題を解決するための手段】
【０００５】
上述した技術的課題を解決するために、本考案は、下記の技術的手段を採用する。
【０００６】
両側縁に、何れもＳ型曲線である第１のカットライン及び第２のカットラインが設けられているマスク本体と、
マスク本体の上縁にある鼻梁定形部と、
を備えるマスクである。
【０００７】
任意的に、上記Ｓ型曲線には、何れも第１のカーブ、第２のカーブ、及び第３のカーブが設けられ、
上記第１のカーブは、上記Ｓ型曲線の上半部にあるとともに、上記マスク本体外に向かい、上記第２のカーブは、上記Ｓ型曲線の中部にあるとともに、上記マスク本体に向かい、上記第３のカーブは、Ｓ型曲線の下半部にあるとともに、上記マスク本体外に向かう。
【０００８】
任意的に、上記第１のカットラインと第２のカットラインは、何れも縁飾り線がない。
【０００９】
任意的に、上記マスク本体には、上記第１のカットラインに沿う第１のエンボス模様と、上記第２のカットラインに沿う第２のエンボス模様とが設けられている。
【００１０】
任意的に、上記マスク本体の上辺の長さは、上記マスク本体の下辺の長さよりも大きい。
【００１１】
任意的に、上記マスク本体の上辺の長さと上記マスク本体の下辺の長さとの比率は、１：０．８５７〜０．８９７である。
【００１２】
任意的に、上記マスク本体の上辺の長さは１７．５〜１９．５ｃｍである。
【００１３】
任意的に、上記マスク本体の下辺の長さは１５〜１７．５ｃｍ。
【００１４】
任意的に、上記マスク本体の４つの角は、何れもに丸く設計されている。
【００１５】
本考案の有益な効果として、従来のマスクにおけるフィット性が悪いこととは異なり、本考案は、マスク本体と、鼻梁定形部とを備えるマスクを提供する。その中で、マスク本体の両側縁には、何れもＳ型曲線である第１のカットライン及び第２のカットラインが設けられている。Ｓ型曲線で縁をカットし、頬骨から顔立ちに沿って両頬へ延伸し、視覚的に顔立ちを調整する一方、顔の輪郭にフィットし、顔によく合わせることができ、顔とマスクとの間のクリアランスと隙間が低減され、被覆性が向上し、見栄えを良くすることができる。なお、鼻梁定形部は、マスク本体の上縁にあり、鼻部に合わせてマスク本体を定形させるためである。これにより、マスクの両側及び上部は、共に顔に合わせることができ、マスクの下部は、Ｓ型曲線で縁をカットすることで、顔立ちに沿って自然に顎の下方に収められ、顔立ちを調整して顔痩せする効果を達成する。
【図面の簡単な説明】
【００１６】
１つ又は複数の実施例は、それに対応する添付図面における図により例示的に説明するが、これらの例示的な説明は、実施例を制限するものではなく、添付図面において同じ参照数字番号を有する素子は同様の素子を示し、特に断らない限り、添付図面における図は、比例制限とはならない。
【００１７】
【図１】本考案の一実施例によるマスクを模式的に示す図である。
【図２】本考案の他の一実施例によるマスクを詳しく模式的に示す図である。
【考案を実施するための形態】
【００１８】
本考案を容易に理解するために、以下、図面と具体的な実施例に合わせて、本考案を更に詳しく説明する。説明しておくべきであるが、素子が他の素子に「固定される」と記載される場合に、それは、直接に他の素子にあってもよく、又は、その間に１つ又は複数の素子を介在してもよい。１つの素子が他の素子に「接続される」と記載される場合、それは、直接に他の素子に接続されてもよく、又は、その間に１つ又は複数の素子を介在してもよい。本明細書に用いられる用語である「垂直」、「水平」、「左」、「右」やそれと類似する表現は、説明するために過ぎない。
【００１９】
別途に定義されない限り、本明細書に用いられる技術と科学用語の全ては、本考案の技術分野に属する技術者により一般的に理解されている意味と同じである。本明細書において、本考案の明細書に用いられる用語は、具体的な実施例を説明するために過ぎず、本考案を制限するものではない。本明細書に用いられる用語である「及び／又は」は、１つ又は複数の関連する挙げられた項の何れかと全ての組合せを含む。
【００２０】
図１を参照すると、マスク１００は、鼻部と口部を遮るためのマスク本体１０と、鼻筋に合わせてマスク本体１０を定形させる鼻梁定形部２０とを含む。
【００２１】
上述したマスク本体１０は、その両端に、何れもＳ型曲線である第１のカットライン１１及び第２のカットライン１２が設けられている。Ｓ型曲線で縁をカットすることで、頬骨から顔立ちに沿って両頬へ延伸し、視覚的に顔立ちを調整することができる一方、顔の輪郭にフィットすることで、顔に良く合わせることができ、顔とマスク１００との間のクリアランスと隙間が低減され、被覆性が向上し、見栄えを良くすることができる。
【００２２】
図２を参照すると、幾つかの実施例において、上記Ｓ型曲線には、何れも順次に第１のカーブ１３、第２のカーブ１４、及び第３のカーブ１５が設けられている。上記第１のカーブ１３は、上記Ｓ型曲線の上半部にあるとともに、上記マスク本体外に向かい、上記第２のカーブ１４は、上記Ｓ型曲線の中部にあるとともに、上記マスク本体に向かい、上記第３のカーブ１５は、Ｓ型曲線の下半部にあるとともに、上記マスク本体外に向かう。これにより、マスク１００の両側は、共に上から下へ内部に収縮して収められる。ユーザは、マスク１００を被る際に、マスク本体１０の両側が頬骨から下へ向けて斜辺に収縮されてきて、両頬においてマスク本体１０内に向けて円弧辺を形成し、視覚的に頬骨の輪郭線を平たいにし、両頬における突出した部位を狭く収縮し、頬の輪郭線を有効に調整し、顔を小さくする効果を達成することができる。理解可能なことであるが、第１のカットライン１１と第２のカットライン１２は、一般的にＳ型鏡像弧度曲線を呈し、マスク本体１０は対称的できれいになる。
【００２３】
理解可能なことであるが、幾つかの実施例において、図２を参照すると、第１のカーブ１３は、２８度で、上記マスク本体１０外に向かい、マスク本体１０の上半部にある。第２のカーブ１４は１４度で、マスク本体１０に向かい、マスク本体１０の中部にある。第３のカーブ１５は４７度で、上記マスク本体１０外に向かい、マスク本体１０の下半部にある。第１のカーブ１３、第２のカーブ１４と第３のカーブ１５は、円滑に移行しており、上から下へ内に収縮して収められる。
【００２４】
幾つかの実施例において、第１のカットライン１１と第２のカットライン１２は、何れも縁飾り線がないことにより、第１のカットライン１１と第２のカットライン１２の縁が薄くなり、第１のカットライン１１と第２のカットライン１２の縁が厚すぎで硬くて形に合わせないことが回避される。これにより、マスク本体１０の縁は、大きな可撓性を有し、屈曲し易く、Ｓ型曲線により顔の肌に適合され、クリアランスを低減させるとともに顔の輪郭を明らかにすることができる。一方、縁飾り線が無いように設計することにより、縁飾り工程が低減され、コストの節約と生産性の向上に寄与する。
【００２５】
幾つかの実施例において、マスク本体１０には、第１のカットライン１１に沿う第１のエンボス模様（図示せず）と、第２のカットライン１２に沿う第２のエンボス模様（図示せず）とが設けられている。第１のエンボス模様と第２のエンボス模様により、マスク本体１０の縁が封止されることにより、マスク本体１０の材料層は、エンボス模様で接続され、マスク本体１０の層間剥離を有効に防止し、マスク本体１０の堅牢度を向上させることができる。
【００２６】
さらに、第１のエンボス模様と第２のエンボス模様は、何れも単列のエンボス模様であることで、エンボス模様線ができるだけ少なくなり、マスク本体１０を有効に封止することができるとともに、縁を硬くすることなく、やはり元来の可撓性を維持する一方、屈曲し易く、顔の輪郭にぴったりと合わせ、マスク１００と顔との間のクリアランスを回避することができ、その一方、気密性が向上し、保護効果が強化される。
【００２７】
幾つかの実施例において、マスク本体１０の上辺の長さはマスク本体１０の下辺の長さよりも大きく、上辺の長さは１７．５〜１９．５ｃｍであってよく、下辺の長さは１５〜１７．５ｃｍであってよく、下へ収縮される幅を形成し、Ｓ曲線と合わせることにより、マスク１００の下部は、顎において積み重ねられないように、顔立ちに沿って自然に顎の下方に収められ、顔立ちを調整して顔痩せする効果が達成される。
【００２８】
理解可能なことであるが、幾つかの実施例において、表１に示すように、マスク本体１０の上辺の長さとマスク本体１０の下辺の長さとの比率は、１：０．８５７〜０．８９７であり、人間の顔立ちにフィットし、顔立ちを調整して顔痩せする効果が達成されるとともに、マスク本体１０を過剰に収縮することで基本的な濾過保護性と呼吸用エリアの空間を低減させることはない。
【００２９】
【表１】
0003225473.tif 000003
【００３０】
幾つかの実施例において、マスク本体１０の４つの角は、何れも丸く設計されることにより、頬骨と下顎角の鋭さが低減されるように、マスク本体１０の上下辺をそれぞれ、第１のカットライン１１及び第２のカットライン１２と更に円滑に接続することができることで、視覚的に顔が小さく見えるとともに、全体的な輪郭線が更にスムーズに移行するようになる。
【００３１】
上記鼻梁定形部２０は、マスク本体１０の上縁にあり、鼻筋に合わせてマスク本体１０を定形させるためである。鼻梁定形部２０は、1本の折り曲げられて定形可能な金属又はプラスチックの鼻筋バーであり、マスク本体１０内に埋設され、マスク１００を口鼻や顔と合わせるように、形の調整に用いることができる。
【００３２】
従来技術とは異なり、本考案の有益な効果として、本考案によるマスク１００は、マスク本体１０と、鼻梁定形部２０とを含む。その中で、マスク本体１０の左右方向の両端には、何れもＳ型曲線である第１のカットライン１１及び第２のカットライン１２が設けられている。Ｓ型曲線で縁をカットし、頬骨から顔立ちに沿って両頬に延伸し、視覚的に顔立ちを調整する一方、顔の輪郭にフィットし、顔に良く合わせることができ、顔とマスク１００との間のクリアランスと隙間が低減され、被覆性が向上し、見栄えを良くすることができる。なお、鼻梁定形部２０は、マスク本体１０の上縁にあり、鼻部に合わせてマスク本体１０を定形させるためである。これにより、マスク１００の両側及び上部は、共に顔に良く合わせることができ、マスク１００の下部は、Ｓ型曲線で縁をカットすることで、顔立ちに沿って自然に顎の下方に収められ、顔立ちを調整して顔痩せする効果が達成される。
【００３３】
説明しておくべきであるが、本考案の明細書及びその添付図面は、本考案の好ましい実施例を示しているが、本考案は、たくさんの異なる形で実現することができ、本明細書に記載された実施例に制限されず、これらの実施例は、本考案の内容を特別に制限するものではなく、これらの実施例は、本考案の開示を更に徹底的かつ全面的に理解するために提供される。また、上述した各技術的特徴を互いに組み合せることで形成された、以上挙げられていない種々の実施例は、何れも本考案の明細書に記載された範囲にあるとし、さらに、この分野における一般的な技術者にとっては、上述した説明によって改良や置換を行うことができるが、これらの改良と置換は、全て本考案に添付された特許請求の範囲に属すべきである。
【符号の説明】
【００３４】
１００...マスク
１０...マスク本体
１１...第１のカットライン
１２...第２のカットライン
１３...第１のカーブ
１４...第２のカーブ
１５...第３のカーブ
【図１】
0003225473.tif 000004
【図２】
0003225473.tif 000005